【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
水性ビヒクル及びデセル軽減成分(decel-alleviating component)を含んで成るインクジェット液であって、前記デセル軽減成分が、カチオン成分とアニオン成分とを有する液可溶性化合物であり且つ加熱に際して急激な熱分解を経ることができる、インクジェット液。
【請求項２】
前記熱分解が、発熱性である、請求項１に記載のインクジェット液。
【請求項３】
前記デセル軽減成分が、還元能又は酸化能を有するカチオン成分及びアニオン成分を有する塩である、請求項１に記載のインクジェット液。
【請求項４】
前記デセル軽減成分の分解生成物が、気体又は液体である、請求項１に記載のインクジェット液。
【請求項５】
前記デセル軽減成分が、NH4NO3、NH4NO2、NH4N3、N2H5NO3、N2H6(NO3)2、(NH4)2S2O8から成る群より選択される化合物を含む、請求項１に記載のインクジェット液。
【請求項６】
前記デセル軽減成分が、NH4NO3である、請求項１に記載のインクジェット液。
【請求項７】
前記デセル軽減成分が、インクの全重量に対して0.05〜0.1重量％の有効濃度で液中に存在する、請求項１、５又は６の何れか１項に記載のインクジェット液。
【請求項８】
前記デセル軽減成分のカチオンと同一のカチオンの液中全濃度が、0.01〜10％である、請求項１、５又は６に記載のインクジェット液。
【請求項９】
前記デセル軽減成分のアニオンと同一のアニオンの液中全濃度が、0.03〜20％である、請求項１、５又は６に記載のインクジェット液。
【請求項１０】
前記デセル軽減成分のアニオン成分と同一の全アニオンに対する前記デセル軽減成分のカチオン成分と同一の全カチオンの比が、１〜４である、請求項１、５又は６に記載のインクジェット液。
【請求項１１】
沈殿剤をさらに含む、請求項１に記載のインクジェット液。
【請求項１２】
前記沈殿剤が、金属塩又は金属配位化合物である多価金属化合物である、請求項１又は６に記載のインクジェット液。
【請求項１３】
着色剤をさらに含む、請求項１又は６に記載のインクジェット液。
【請求項１４】
デセル軽減成分及び沈殿剤を含んで成る第１の水性液であって、前記デセル軽減成分が、カチオン成分及びアニオン成分を有する液可溶性化合物であり加熱されると急激な熱分解を経ることができる、第１の水性液と、
少なくとも１つの第２の着色剤を含んで成る第２の水性インクであって、前記第２の着色剤が、前記第一の水性液中の沈殿剤と接触すると結合して不溶性の塩、錯体、又は化合物を形成し得る官能基を有し、それによって前記第２の着色剤が固定化され得る、第２の水性インクと、
からなるインクジェット印刷液セット。
【手続補正２】
【補正対象書類名】明細書
【補正対象項目名】０００２
【補正方法】変更
【補正の内容】
【０００２】
【従来の技術】印刷液(printing liquid)は、塗装（描画）(painting)、グラビヤ印刷及びプレス印刷、液体トナー使用の電子写真(xerographic)印刷、及びインクジェット印刷などの、多くの用途に利用されている。印刷液は、典型的には、液体媒体、即ちビヒクル、及びその中の着色剤からなる。例としては、塗料、液状トナー、及びインクが挙げられる。ビヒクルは、有機ベース（溶剤ベース）、又は水ベース（水性ベース）であってよい。着色剤は、染料であるか又は顔料であってよい。印刷液はさらに、特定の用途に基づいて補助的成分を含んでいてもよい。
【手続補正３】
【補正対象書類名】明細書
【補正対象項目名】０００７
【補正方法】変更
【補正の内容】
【０００７】
インクが染料ベースであるか顔料ベースであるかに関係なく、インクジェットインクは共通して、カラー−カラー又はブラック−カラーのブリード制御という問題に直面する。用語“ブリード(bleed)”は、ここで用いられるとき、インクが印刷媒体上に堆積されると、ぎざぎざで雑な境界線で表されるような、１つのカラーから他のカラーへの侵入と定義される。ブリードは、紙基板の表面上及び基板自体の内部でカラーが混ざり合う際に起こる。ブリードがブラックインクと、近接して印刷されたカラーインクとの間で発生する場合、ますますはっきり見えるために、特に問題となる。従って、良好な印刷品質を得るには、ブリードを十分に減ずるか又は排除して、カラー間の境界を明確にし、１つのカラーの他のカラーへの侵入が無いようにするべきである。印刷された画像間のブリード制御に関してはいくつかのアプローチが利用されており、その多くは反応性インクメカニズムを利用するものである。
【手続補正４】
【補正対象書類名】明細書
【補正対象項目名】００１６
【補正方法】変更
【補正の内容】
【００１６】
本発明の調合物は、インクジェット液を調合するのに用いられる。より詳細には、インクジェット液が金属塩あるいは金属配位化合物などの多価金属化合物等の沈殿剤を含む場合に、より詳細には、インクジェット液が多価金属塩と着色剤の両方を含む場合に、デセル（ファイアリングレジスタ（発射抵抗器：firing resistor)の連続作動時の急速な液滴速度(drop velocity)の低下）の防止など、液滴噴出性能を向上させるために用いられる。
【手続補正５】
【補正対象書類名】明細書
【補正対象項目名】００１８
【補正方法】変更
【補正の内容】
【００１８】
本明細書で用いられる時、用語“着色剤(colorants)”は、染料及び顔料を包含する。又、用語“顔料(pigment)”は、水性ビヒクル中に不溶な着色剤を意味し、それには分散染料、安定化(self-stabilized)顔料、及び分散剤により分散される顔料が包含される。
【手続補正６】
【補正対象書類名】明細書
【補正対象項目名】００２３
【補正方法】変更
【補正の内容】
【００２３】
インク中の水性キャリヤー媒体の量は、有機顔料が選ばれる時、インクの全重量に対して、約70〜約99.8％、好ましくは、約94〜約99.8％の範囲であり、無機顔料が選ばれる時は、インクの全重量に対して、約25〜約99.8％、好ましくは、約70〜約99.8％の範囲であり、着色剤として染料が選ばれる時は、約80〜約99.8％の範囲にある。
第一の液
第一の液は、水性ビヒクル、沈殿剤、デセル軽減化合物を含有し、そして好ましくは、さらに少なくとも１つの着色剤を含有する。
沈殿剤
沈殿剤は（例えば印刷媒体上で）接触すると、（染料、又は安定化顔料などの）着色剤に結合しているアニオン基（例えば、カルボキシル酸塩又はスルホン酸塩などのアニオン基）、又は分散顔料と結合している分散剤上のアニオン基、とインク組成物中で反応して、不溶性の塩、錯体又は化合物を生成する類のものである。好ましい態様においては、該沈殿剤は、金属塩又は金属配位化合物などの多価金属化合物からなり、好ましくは金属塩である。多価金属化合物に適した多価金属カチオンとしては、以下の表１記載のカチオンが挙げられる。
【手続補正７】
【補正対象書類名】明細書
【補正対象項目名】００３４
【補正方法】変更
【補正の内容】
【００３４】
デセル軽減成分のカチオン成分及びアニオン成分は、それぞれ異なる独立の起源のものを、液体中に存在させることができる。例えば、硝酸アンモニウムの場合において、アンモニウムカチオンは、いくつかのアニオン染料と結合しているカチオンとして、pH調整剤（例えば、NH4OH添加）として、アニオン界面活性剤と結合しているカチオンとして、ブリード軽減補助剤（例えば、NH4Cl、(NH4)2SO4、CH3COONH4）として第一インクに添加される無機アニオン又は単純な有機アニオンと結合しているカチオンとして、又は硝酸アンモニウムを添加することによって、液体に導入することができる。一方、硝酸アニオンは、いくつかのカチオン染料と結合しているアニオンとして、pH調整剤（例えば、HNO3添加）として、カチオン界面活性剤と結合しているアニオンとして、金属塩（例えば、ブリード制御添加剤）と結合しているアニオンとして、又は硝酸アンモニウムを添加することによって、液体に導入することができる。
【手続補正８】
【補正対象書類名】明細書
【補正対象項目名】００４０
【補正方法】変更
【補正の内容】
【００４０】
そのため、硝酸アンモニウムなどのデセル軽減成分は、200℃を上回る温度での急激な発熱分解を経ると考えられる。発熱抵抗体上でのこれらの微小爆発の発生によって、駆動バブル核生成にマイナス的に影響しかねない異質物質のないように抵抗体表面をきれいにしておくことが促進される。異常のない均一な駆動バルブの存在は、デセルを排除又は十分に軽減し、ノズルの方向性(directionality)を改善する。